(57)【要約】  制御装置１０２によって照明装置１１０を制御するための照明システム１００が開示される。照明システム１００は、照明装置１１０と、第１のユーザ入力を受け取るように構成された第１のユーザーインターフェース１０４を含む制御装置１０２とを含む。照明システム１００は、制御装置１０２と照明装置１１０との間の近さ１１４を検出するように構成された近接検出器１０６を更に含む。プロセッサ１０８は、第１のユーザ入力を受け取った後で所定の期間内に近さ１１４が検出される場合に、第１のユーザ入力に基づいて照明装置１１０の制御パラメータを調節するように構成される。これは、ユーザが、照明装置の近さ１１４以内に制御装置１０２を持ち込むことにより照明装置１１０を制御することを可能にし、このことは、１つ又は複数の照明装置１１０を制御する単純且つ直感的な態様をもたらし、これは、ユーザが制御装置上で制御されるべき目標照明装置を示す必要性を排除する。
2017509129.tif 000002
【特許請求の範囲】
【請求項１】
制御装置によって照明装置を制御するための照明システムであって、
−  第１のユーザ入力を受け取る第１のユーザーインターフェースを含む前記制御装置と、
−  前記制御装置と前記照明装置との間の近さを検出する近接検出器と、
−  少なくとも１つの光源を含む前記照明装置と、
−  前記第１のユーザ入力を受け取った後で所定の期間内に前記近さが検出される場合に、前記第１のユーザ入力に基づいて前記照明装置の制御パラメータを調節するプロセッサと
を含む、照明システム。
【請求項２】
前記近接検出器が前記制御装置と前記照明装置との間の距離を更に決定し、前記プロセッサが、決定された前記距離に基づいて、前記照明装置の前記制御パラメータを更に調節する、請求項１に記載の照明システム。
【請求項３】
前記プロセッサが、更に、前記決定された距離が所定の範囲内にある持続時間を決定し、且つ、前記持続時間に基づいて前記照明装置の前記制御パラメータを調節する、請求項２に記載の照明システム。
【請求項４】
前記照明装置が前記所定の期間内に第２のユーザ入力を受け取る第２のユーザーインターフェースを含み、前記プロセッサが前記第２のユーザ入力に基づいて前記照明装置の前記制御パラメータを更に調節する、請求項１に記載の照明システム。
【請求項５】
前記第２のユーザーインターフェースが、タッチ感応性装置、オーディオセンサ、運動センサ、及び前記第２のユーザ入力を受け取るための１つ又は複数のボタンを含む群のうちの少なくとも１つを含む、請求項４に記載の照明システム。
【請求項６】
前記制御装置が前記制御装置の動きを検出する運動検出器を更に含み、前記プロセッサが、検出された前記動きに基づいて、前記照明装置の前記パラメータを更に調節する、請求項１乃至５の何れか一項に記載の照明システム。
【請求項７】
前記第１のユーザーインターフェースが、前記所定の期間を調節するための更なるユーザ入力を更に受け取り、前記プロセッサが、前記更なるユーザ入力に基づいて前記所定の期間を更に設定する、請求項１乃至６の何れか一項に記載の照明システム。
【請求項８】
前記近接検出器が、前記制御装置及び前記照明装置の位置情報を検出する位置検出器を含み、それによって前記制御装置と前記照明装置との間の前記近さを決定する、請求項１乃至７の何れか一項に記載の照明システム。
【請求項９】
前記制御装置が前記近接検出器を更に含む、請求項１乃至８の何れか一項に記載の照明システム。
【請求項１０】
前記制御装置が前記プロセッサを更に含む、請求項１乃至９の何れか一項に記載の照明システム。
【請求項１１】
前記照明装置が前記プロセッサを更に含む、請求項１乃至９の何れか一項に記載の照明システム。
【請求項１２】
前記照明装置が前記近接検出器及び前記プロセッサを含む、請求項１乃至８の何れか一項に記載の照明システム。
【請求項１３】
請求項９又は１０に記載の照明システムにおいて使用するための、制御装置。
【請求項１４】
請求項１１又は１２に記載の照明システムにおいて使用するための、照明装置。
【請求項１５】
制御装置によって照明装置を制御する方法であって、
−  第１のユーザ入力を受け取るステップと、
−  前記制御装置と前記照明装置との間の近さを検出するステップと、
−  前記第１のユーザ入力を受け取った後で所定の期間内に前記近さが検出される場合に、前記第１のユーザ入力に基づいて前記照明装置の制御パラメータを調節するステップと
を含む、方法。
【発明の詳細な説明】
【技術分野】
【０００１】
本発明は、制御装置によって照明装置を制御するためのシステム及び方法に関する。本発明は、このシステムにおいて使用するための照明装置及び制御装置に更に関する。
【背景技術】
【０００２】
将来及び現在の家庭及び職場環境は、環境、雰囲気、強調、又は作業用の照明を生成するための多数の制御可能な照明装置を含むであろう。これらの照明装置は、スマートデバイス（例えば、スマートフォン又はタブレットＰＣ）のユーザーインターフェースを介して、個別に又は集合的に制御され得、Bluetooth（登録商標）又はZigBee（登録商標）などの無線通信技術を使用してスマートデバイスと通信することができる。しかしながら、光のシーンのマッピング及び／又は照明装置の色彩は、照明装置の量が増加すると、複雑になる。スマートデバイスが複数の照明装置を制御するように構成されている場合、ユーザはまず、照明装置、又は照明装置の集合を、ユーザーインターフェース上で選択することが必要であり、その後、ユーザはユーザーインターフェース上で光のシーンを選択することが必要であり、そこでようやく、ユーザは１つ又は複数の照明装置の光出力を調節することができる。これは、特に複数の照明装置が制御される必要がある環境における、照明制御のより簡単且つより直感的な態様のための技術の必要性を示している。
【０００３】
国際公開第２００８０５９４１１（Ａ１）号は、この問題を、１つの照明装置から他の照明装置へ光のシーンをコピー及びペーストするための制御装置を用いて解決している。ユーザは、制御装置を光源に向けて、その光源を選択し、その光源の光のシーンを更なる照明装置へ「ドラッグ」し、それによって、選択された光のシーンに基づいて更なる照明装置の光のシーンを調節することができる。この発明は照明制御を簡素化するが、照明制御の更なる改善のために更なる選択肢が可能であり得る。
【発明の概要】
【発明が解決しようとする課題】
【０００４】
制御装置によって照明装置を制御するための更なる制御選択肢を提供することが、本発明の目的である。
【課題を解決するための手段】
【０００５】
本発明の第１の態様に従って、この目的は、制御装置によって照明装置を制御するための照明システムによって達成される。この照明システムは、
−  第１のユーザ入力を受け取るように構成された第１のユーザーインターフェースを含む制御装置と、
−  制御装置と照明装置との間の近さを検出するように構成された近接検出器と、
−  少なくとも１つの光源を含む照明装置と、
−  第１のユーザ入力を受け取った後で所定の期間内に近さが検出される場合に、第１のユーザ入力に基づいて照明装置の制御パラメータを調節するように構成されたプロセッサと
を含む。
【０００６】
この照明システムは、制御装置を照明装置の近傍に持ち込むことによりユーザが照明装置を制御できるようにするという利点を提供する。本発明は、ユーザが、制御装置の第１のユーザーインターフェースにおいて第１のユーザ入力を提供した後で、照明装置を制御することを可能にする。これは１つ又は複数の照明装置についてユーザが照明設定を選択することを可能にし、その後、制御装置及びそれと共にユーザが照明装置の近傍にあるとき、この１つ又は複数の照明装置の制御パラメータが調節されるため、これは有利であり得る。これは、１つ又は複数の照明装置を制御する単純且つ直感的な態様をもたらし、それは、ユーザが制御装置上で制御されるべき目標照明装置を示す必要性を排除する。制御装置と照明装置との間の近さは、所定の期間にわたり検出され得、この所定の期間は、照明装置の制御パラメータが調節され得る時間窓をユーザに提供する。提供された時間窓内での照明制御を可能にすることは、時間窓外でユーザが照明装置の付近に立ち入るときはいつでも制御パラメータの調節をトリガーしないため、有利であり得る。
【０００７】
システムの一実施形態では、近接検出器は、制御装置と照明装置との間の距離を決定するように更に構成されている。この実施形態では、プロセッサは、決定された距離に基づいて、照明装置の制御パラメータを調節するように更に構成される。これは、ユーザに照明装置の制御パラメータを調節するためのより多くの制御選択肢を提供するため、これは有利であり得る。また、これは、ユーザが、各照明装置に向かって又は各照明装置から離れて、制御装置を動かすことによって、複数の照明装置を調節することを可能にし、それによって照明制御の直感的な態様をもたらす。更なる実施形態では、プロセッサは、制御装置が照明装置の所定の近さ以内にある場合にのみ、照明装置の制御パラメータを調節することができる。これは、照明装置の制御パラメータが調節され得る領域を生成する。生成された領域内部のみで照明制御を可能にすることの利点は、制御装置がこの領域の外側にあるときはいつでも制御パラメータの調節をトリガーしないことである。所定の近さは、システムに含まれる検出器のタイプに依存し得る。或いは、調節可能な近接検出範囲を備えた近接検出器がシステムに含まれ得る。調節可能な近接検出範囲を備えた近接検出器の利点は、そのような近接検出器は、ユーザ及び／又はシステムが範囲を調節することを可能にし、それによって、照明システムの異なる複数の構成に対して１つの近接検出器の使用を可能にすることである。更なる実施形態では、プロセッサは、距離が所定の範囲内にある持続時間を決定するように更に構成される。この実施形態では、照明装置の制御パラメータの調節は、この持続時間に更に基づいている。これは、照明装置のより多くの制御をユーザに提供し、且つ、これは、制御装置が照明装置の近傍にある持続時間と距離との両方に基づいて、ユーザが制御パラメータを直感的に調節することを可能にするため、これは有利であり得る。
【０００８】
システムの一実施形態では、照明装置は、所定の期間内に第２のユーザ入力を受け取るように構成された第２のユーザーインターフェースを含む。第２のユーザーインターフェースは、例えば、タッチパッド若しくはタッチスクリーンなどのタッチ感応性装置、マイクロフォンなどのオーディオセンサ、加速度計、磁気計、及び／若しくはジェスチャーを検出するためのジャイロスコープなどの運動センサ、並びに／又は第２のユーザ入力を受け取るための１つ又は複数のボタンを含むことができる。この実施形態では、プロセッサは、第２のユーザ入力に基づいて照明装置の制御パラメータを調節するように更に構成される。この実施形態の利点は、この実施形態は、ユーザが（例えば、タッチ入力を提供することによる）照明装置との相互作用を介して照明装置の制御パラメータを調節することを可能にし、それによってより多くの制御選択肢を提供することである。
【０００９】
システムの一実施形態では、制御装置は、制御装置の動き、及びそれと共にユーザの動きを検出するように構成された運動検出器を含む。この実施形態では、プロセッサは、検出された動きに基づいて、照明装置の制御パラメータを調節するように更に構成される。制御装置における運動センサの実装の利点は、ユーザに対して更なる制御選択肢を提供することである。それは、例えば、ユーザが単一の動作で複数の照明装置の制御パラメータを調節することを可能にする。
【００１０】
システムの一実施形態では、第１のユーザーインターフェースは、所定の期間の調節に関連した更なるユーザ入力を受け取るように更に構成され、プロセッサは、この更なるユーザ入力に基づいて所定の期間を設定するように更に構成される。これは、照明装置が制御可能である持続時間をユーザが決定することを可能にするため、これは有利であり得る。
【００１１】
システムの一実施形態では、近接検出器は制御装置及び照明装置の位置情報を検出するように構成される位置検出器を含み、それによって制御装置と照明装置との間の近さを決定する。ある環境における照明装置及び制御装置についての位置情報を有することは有利であり得る。なぜなら、これは更なる制御選択肢を可能にし得るからである。
【００１２】
システムの一実施形態では、制御装置は、近接検出器を更に含む。この実施形態では、プロセッサが更なる装置に含まれることができ、制御装置が近接検出測定値を、照明装置の制御パラメータの調節を決定するこのプロセッサへ送信することができる。別の実施形態では、制御装置がプロセッサを更に含む。この実施形態では、近接検出器は、近接検出測定値をプロセッサへ送信するための手段を備えた更なる装置に含まれることができる。近接検出器及び／又はプロセッサを制御装置内に実装することが有利であろう。なぜなら、これはハードウェア装置の量を低減することができ、それによって照明システムのコストを低減するからである。制御装置が、プロセッサ及び／又は近接検出手段（例えば、カメラ又は近距離無線通信技術）を既に備えた消費者装置である場合、更に有利であることができる。
【００１３】
一実施形態では、照明システムはプロセッサを更に含む。この実施形態では、近接検出器は、近接検出測定値をプロセッサへ送信するための手段を備えた別の装置に（例えば、制御装置に）含まれることができる。別の実施形態では、照明装置が近接検出器及びプロセッサを含む。これは、照明装置が所定の期間内に制御装置の近さを決定することを可能にする。近接検出器及び／又はプロセッサを照明装置内に実装することが有利であろう。なぜなら、これはハードウェア装置の量を低減することができ、それによって照明システムのコストを低減するからである。
【００１４】
本発明の第２の態様に従って、目的は、制御装置によって照明装置を制御する方法によって達成され、この方法は、
−  第１のユーザ入力を受け取るステップと、
−  制御装置と照明装置との間の近さを検出するステップと、
−  第１のユーザ入力を受け取った後で所定の期間内に近さが検出される場合に、第１のユーザ入力に基づいて照明装置の制御パラメータを調節するステップと
を含む。
【００１５】
上述したような照明システムで使用するための制御装置及び照明装置が更に開示される。
【００１６】
上記は、開示されるシステム、装置、及び方法の追加の目的、特徴及び利点と同様に、添付の図面を参照して、装置及び方法の実施形態についての次の例示的且つ非限定的な詳細な説明を通して、より良く理解されるであろう。
【図面の簡単な説明】
【００１７】
【図１】制御装置によって照明装置を制御するための、本発明に従った照明システムの実施形態を概略的に示す。
【図２】照明装置と制御装置との間の距離に基づいて、制御装置によって照明装置を制御するための、本発明に従った照明システムの実施形態を概略的に示す。
【図３】制御装置の動きを検出することによって照明装置を制御するための、本発明に従った照明システムの実施形態を概略的に示す。
【図４】ユーザ入力を照明装置において受け取ることによって照明装置を制御するための、本発明に従った照明システムの実施形態を概略的に示す。
【図５】制御装置によって照明装置を制御する方法を概略的且つ例示的に示す。
【発明を実施するための形態】
【００１８】
図１は、制御装置１０２によって照明装置１１０を制御するための、本発明に従った照明システム１００の実施形態を概略的に示す。照明システム１００は、第１のユーザ入力を受け取るように構成された第１のユーザーインターフェース１０４を含む制御装置１０２を含む。照明システム１００は、制御装置１０２と照明装置１１０との間の近さ１１４を検出するように構成された近接検出器１０６を更に含む。照明システム１００は、少なくとも１つの光源１１２を備えた照明装置１１０を更に含む。照明システム１００は、第１のユーザ入力を受け取った後で所定の期間内に（例えば、５分以内に）近さ１１４が検出される場合に、第１のユーザ入力に基づいて照明装置１１０の制御パラメータを調節するように構成されたプロセッサ１０８を更に含む。図１の実施形態において、制御装置１０２は、ユーザ（図示せず）によって操作され得る。制御装置１０２は、照明装置１１０を制御するための任意の適切な制御装置１０２とすることができる。制御装置１０２のタイプは、例えば、スマートデバイス（例えば、スマートフォン若しくはタブレットＰＣ）、ウェアラブルデバイス（例えば、時計、スマートリング、スマートグラス等）、又は任意の他の遠隔制御装置とすることができる。制御装置１０２のタイプは、制御装置１０２が使用される状況に関連して選択され得る。照明装置１１０との想定される相互作用の選択肢と、照明装置１１０の特徴とは、特定の制御装置１０２の選択を決定することができる。例えば、照明装置１１０は、複数のＬＥＤ光源の各々の色を変更するための制御選択肢を必要とする、複数のＬＥＤ光源を備えたＬＥＤストリップとすることができ、このＬＥＤストリップは、例えば、光源をオン及びオフするための制御選択肢を必要とすることがある、単一の光源を備えた天井搭載型の照明装置とは異なる制御選択肢を必要とすることがある。照明装置１１０及び制御装置１０２の意図された使用法は近接検出器１０６のタイプに影響を与えることができ、近接検出器１０６の検出範囲は、照明システム１００の実施形態毎に異なることができる。例えば、照明システム１００はＬＥＤ光源のマトリクスを含むことができ、ここにおいてマトリクス中の各ＬＥＤに対して精密な近接検出が必要とされることがあり、一方、制御装置１０２によってデスクランプが制御される照明システム１００では、近さの精度はそれほど重要ではないことがある。例示的な一実施形態では、照明システム１００は複数の制御可能な照明装置１１０を含むことができ、ここにおいてこの複数の制御可能な照明装置１１０の各々が、照明装置１１０の制御パラメータを調節するように構成されたプロセッサ１０８を含む。照明システム１００は、制御装置１０２（例えば、スマートフォン）を更に含むことができ、この制御装置１０２は、１）ユーザが色を選択することを可能にするユーザーインターフェースと、２）色の選択を受け取った後で所定の期間内に照明装置１１０の近さ１１４を検出するための近接検出器１０６とを含む。この実施形態では、ユーザは例えば、スマートフォン上で動作するアプリケーションを介して赤色を選択することができ、それによって、近接検出器１０６が制御装置１０２と複数の照明装置１１０のうちの１つとの間の近さ１１４を検出することができる所定の期間を開始する。所定の期間は、例えば１分間とすることができ、それによって、ユーザがその時間中に複数の照明装置の色を調節することを可能にする。複数の照明装置１１０のうちの１つが制御装置１０２の近さ１１４以内にある場合、制御コマンドがこの複数の照明装置１１０のうちの１つのプロセッサ１０８に送信され、このプロセッサ１０８がこの複数の照明装置１１０のうちの１つの光の色を調節する。
【００１９】
制御装置１０２は、第１のユーザ入力を受け取るように構成された第１のユーザーインターフェース１０４を含む。第１のユーザ入力は、照明装置１１０の制御パラメータを調節することに関連することができる。例えば、第１のユーザ入力は次のことに関連することができる、即ち、照明装置１１０の少なくとも１つの光源１１２をオン若しくはオフにすること、照明装置１１０の少なくとも１つの光源１１２の色及び／若しくは明るさを調節すること、照明装置１１０の配向を変更すること（例えば、照明装置１１０の回転若しくは移動）、照明装置１１０の光ビームの形状を調節すること、動的な光のシーン（例えば、夕焼け、花火等）を設定すること、並びに／又は照明装置１１０の任意の他の制御パラメータを調節することに関連することができる。第１のユーザーインターフェース１０４は、例えば、タッチ感応性装置、オーディオセンサ、運動センサ、及び／又は第１のユーザ入力を受け取るための１つ又は複数のボタンを含むことができる。タッチ感応性装置は、例えば、タッチパッド又はタッチスクリーンであることができる。このタッチ感応性装置及び／又は１つ又は複数のボタンは、ユーザが上述した第１のユーザ入力行為の何れか１つを実施することを可能にし得る。第１のユーザ入力の更なるタイプは、制御装置１０２の動きを含むことができ、ユーザが、例えば制御装置１０２を振ることを通して、第１のユーザ入力を提供することを可能にし、それによって、例えば照明装置１１０の配向が調節される必要があることを示す。第１のユーザ入力の更なるタイプは、制御装置１０２に含まれ得るオーディオセンサによって受け取られる音声コマンド（例えば、「緑に色付け」）又は更なる音コマンド（例えば、拍手の音）を含むことができる。更なる実施形態では、第１のユーザーインターフェース１０４は、ユーザからの確認コマンドを受け取るように更に構成され得、この確認コマンドは調節された制御パラメータの確認を示す。この特徴は、ユーザが特定の照明装置１１０に対する所定の期間を停止することを可能にし、それによってその特定の照明装置１１０の制御パラメータを調節することが最早できなくなり、一方で更なる照明装置１１０の制御パラメータを調節することは場合により依然として可能であるため、この特徴は有利であり得る。
【００２０】
制御装置１０２は、ユーザに情報を伝達するように構成された情報伝達部を更に含むことができる。情報伝達部（例えば、ディスプレイ）は、所定の期間の表示を表示するように構成され得る。情報伝達部は、所定の期間が開始された後で、所定の期間の残り時間の表示（例えば、砂時計、カウントダウンシーケンス等）を表示するように更に構成され得る。情報伝達部は、制御装置１０２が照明装置１１０の近さ１１４以内にあるかどうかを更に示すことができる。情報伝達部は、照明装置１１０の制御パラメータがいつ調節され得るかを示すために、画面上での指示を更に提供することができる。情報伝達部は、照明装置１１０を照明システム１００にどのように接続するか、及び照明装置１１０がどのように制御され得るかについての情報を更に提供することができる。情報伝達部の実装の利点は、それが、照明装置１１０の作動及び制御の工程においてユーザをサポートし得ることである。
【００２１】
近接検出器１０６は、制御装置１０２と照明装置１１０との間の近さ１１４を検出するように構成される。近接検出器１０６は検出された近さをプロセッサ１０８に伝達することができ、その後、プロセッサ１０８は、制御装置１０２が照明装置１１０の近さ１１４以内にある場合、第１のユーザ入力に基づいて、照明装置１１０の制御パラメータを調節することを決定する。近さ１１４は、部屋全体をカバーする程大きいことがあり、又は数センチメートルをカバーする程小さいことがある。照明装置１１０の制御パラメータが調節され得る近さ１１４の範囲は、照明システム１００の意図された使用法に依存することができる。例えば、照明装置１１０が街灯柱内のランプである場合、近さ１１４は地表面に大規模な制御領域を生成する程のものであり得、一方、個々の制御可能なＬＥＤを有するＬＥＤストリップに対しては、近さ１１４は１インチよりも小さいことがある。別の例示的な実施形態では、近接検出器１０６は、制御装置１０２及び照明装置１１０が同一のネットワークに接続されているかどうかを決定するように構成され得る。これは、近接検出器１０６が、照明装置１１０と制御装置１０２との間の近さ１１４を決定することを可能にする。
【００２２】
更なる実施形態では、近接検出器１０６は、第１のユーザ入力が受け取られる前に、制御装置１０２と照明装置１１０との間の近さ１１４を決定するように構成され得る。第１のユーザ入力が受け取られる前に近さ１１４を確立することは、第１のユーザ入力を受け取った後で近さ１１４が依然として確立されているかどうかをプロセッサ１０８が確認することを可能にし得るため、この実施形態は有利であり得る。この実施形態では、近接検出器１０６は、例えば、制御装置１０２が照明装置１１０と同一のネットワーク（例えば、Wi-Fi（登録商標）ネットワーク、ホームネットワーク）にあることを決定することができ、且つ／又は制御装置１０２及び照明装置１１０が同一のユーザアカウントに関連付けられているかどうかを決定することができる。この情報はプロセッサ１０８によって使用されて、第１のユーザ入力を受け取るのに先立って、照明装置１１０と制御装置１０２との間に接続を確立することができる。
【００２３】
一実施形態では、近接検出器１０６は制御装置１０２内に配置され得る。近接検出器１０６は、例えば、制御装置１０２中に含まれるカメラを介して、照明装置１１０の存在を検出することができる。カメラは、符号化された光を検出する（即ち、照明装置１１０によって放射された光に埋め込まれている符号化された光メッセージを復号する）ように更に構成され得、それによって、照明装置１１０の識別を可能にする。制御装置１０２が近さ１１４以内にある場合、制御装置１０２は、照明装置１１０の制御パラメータを調節するために、所定の期間内に制御コマンドを照明装置１１０に送信することができる。別の実施形態では、近接検出器１０６は照明装置１１０内に配置され得る。この実施形態では、照明装置１１０は制御装置１０２から第１のユーザ入力を受信することができ、その後、近接検出器１０６は所定の期間にわたり制御装置１０２と照明装置１１０との間の近さ１１４を検出することができる。これは、所定の期間内（例えば、３０秒以内）に、ユーザが照明装置１１０の近さ１１４以内に制御装置１０２を持ち込むことを可能にする。別の実施形態では、近接検出器１０６は、例えば、照明装置に配置されたタッチ感応性装置であることができ、ここにおいて、近接検出器１０６は、所定の期間内に制御装置１０２が照明装置１１０にタッチしているかどうかを決定し、それによって、制御装置１０２と照明装置１１０との間の近さを決定し、プロセッサ１０８が照明装置１１０の制御パラメータを調節することを可能にする。
【００２４】
当技術分野で知られている様々な近接検出方法、例えば、無線自動識別（ＲＦＩＤ：radio frequency identification）又は近距離無線通信（ＮＦＣ：near field communication）などが使用され得る。適切な近接検出方法についての選択は、近接検出器の必要とされる検出範囲、及び／又は能動若しくは受動の無線周波数（ＲＦ：radio frequency）検出可能タグ（即ち、バッテリ給電された若しくはされていない）の使用に依存することがある。これらのＲＦベースの方法の利点は、ユーザが装置にＲＦタグを取り付けることを可能にし、それによって、装置が近接検出器１０６によって検出できるようになることを可能にすることである。例えば、照明装置１１０及び／又は制御装置１０２はＲＦタグを備えることができ、それによって、ＲＦ近接検出器によって検出可能になる。当技術分野で知られている近接検出の別の方法は、三角測量又は三辺測量を介した位置決定である。近接検出器１０６は、制御装置１０２及び照明装置１１０の位置情報を検出するように構成される位置検出器を含むことができ、それによって制御装置１０２と照明装置１１０との間の近さ１１４を決定する。位置検出器は、例えば、屋内近接システムを使用することができ、このシステムでは、システムは例えばＲＦ信号及び三辺測量又は三角測量を使用して制御装置１０２及び照明装置１１０の位置を決定する。屋外の目的のために、位置検出器は、制御装置１０２及び照明装置１１０の位置を決定するために全地球測位システムを使用することができる。既存の位置システム又は１つ若しくは複数の深さカメラを使用して位置を検出し照明システム１００のプロセッサ１０８に位置情報を伝達することは、照明装置１１０中に近接検出器１０６を実装するための労力を低減することができ、それによって、場合により照明システム１００のコストを低減するため、有利であり得る。
【００２５】
照明システム１００の照明装置１１０は、制御装置１０２及び任意選択的に（遠隔の）近接検出器１０６と通信するための手段を有する、制御可能な照明装置１１０の任意のタイプ（例えば、ＬＥＤストリップ、照明、ＬＥＤマトリクス、スマート電球等）であり得る。当技術分野で知られている様々な有線及び無線の通信技術、例えば、Bluetooth（登録商標）、Wi-Fi（登録商標）、ZigBee（登録商標）などが使用され得る。特定の通信技術が、制御装置１０２の通信能力、照明装置１１０のタイプ及び近接検出器１０６のタイプ、無線通信技術のための通信ドライバの電力消費、並びに／又は無線信号の通信範囲に基づいて選択され得る。今日の多くの消費者制御装置１０２（例えば、スマートフォン）及び照明装置１１０（例えば、Philips Hue）は既に１つ又は複数の無線通信技術を備えており、これは、制御装置１０２と照明装置１１０との間に通信リンクを生成する労力を低減することができるため、これは有利であり得る。
【００２６】
照明システム１００のプロセッサ１０８は、第１のユーザ入力に基づいて、且つ制御装置１０２と照明装置１１０との間の検出された近さ１１４に基づいて、照明装置１１０の制御パラメータを調節するように構成される。プロセッサ１０８は、制御装置１０２が所定の期間内に照明装置１１０の近さ１１４以内にある場合にのみ実行される調節制御コマンドとして、第１のユーザ入力を使用する。照明システム１００の意図された使用法に応じて、プロセッサ１０８は制御装置１０２内に、照明装置１１０内に、又は更なる装置内に配置され得る。プロセッサ１０８が制御装置１０２内に配置される実施形態では、プロセッサ１０８は第１のユーザーインターフェース１０４から第１のユーザ入力を、近接検出器１０６から近さ情報を受け取り、その後、プロセッサ１０８は制御コマンドを照明装置１１０に送信して照明装置１１０の制御パラメータを調節する。この実施形態では、制御装置１０２は、例えば、スマートウォッチとすることができ、近接検出器１０６は、ＲＦビーコンを使用してスマートウォッチ及び照明装置１１０の位置を決定する屋内近接システムとすることができる。スマートウォッチのプロセッサ１０８は、スマートウォッチのユーザーインターフェースを介して第１のユーザ入力を受け取り、屋内近接システムから近さ情報を受け取る。プロセッサ１０８は、照明装置１１０及びスマートウォッチが互いの近さ１１４以内にあるかどうかを決定し、もしある場合には、照明装置１１０の制御パラメータの調節に関連した制御コマンドが、照明装置１１０に送信される。プロセッサ１０８が照明装置１１０内に配置される実施形態では、プロセッサ１０８は制御装置１０２からは第１のユーザ入力を、近接検出器１０６からは情報を受け取り、その後、プロセッサ１０８は照明装置１１０の制御パラメータをどのように調節するかを決定する。この実施形態では、制御装置１０２は、例えば、第１のユーザ入力を受け取るように構成された色相環を含むユーザーインターフェースと、第１のユーザ入力を送信するように構成された送信機と、検出可能なＲＦＩＤタグとを含む、遠隔の制御装置１０２であり得る。この例では、照明装置１１０は、ＲＦ信号を送信するように構成され、且つ、送信されたＲＦ信号をこの信号がＲＦＩＤタグによって後方散乱された後で受信するように構成されたＲＦＩＤ送受信機を備え、それによって、近接検出器１０６が遠隔制御装置１０２と照明装置１１０との間の近さを検出することを可能にする。照明装置１１０のプロセッサ１０８は、遠隔制御装置１０２からは第１のユーザ入力を、近接検出器１０６からは近さ情報を受け取り、遠隔制御装置１０２が照明装置１１０の近さ１１４以内にある場合には、照明装置１１０の制御パラメータを調節することを決定する。
【００２７】
図２は、制御装置１０２と照明装置１１０との間の距離２００に基づいて、制御装置１０２によって照明装置１１０を制御するための、本発明に従った照明システム１００の実施形態を概略的に示す。この実施形態では、プロセッサ１０８は、検出された距離２００に基づいて所定の期間内に制御パラメータを調節するように更に構成される。当技術分野で知られている様々な距離測定方法が使用され得る。距離情報は、例えば、距離が受信タグから後方散乱されるＲＦ信号に基づいて決定される受信信号強度（ＲＳＳ：received signal strength）の測定を通じて、又は距離が送信ＲＦ信号と受信ＲＦ信号との間の時間に基づいて決定される飛行時間（ＴＯＦ：time-of-flight）の測定を通じて取得され得る。この実施形態は、ユーザに対して更なる制御選択肢を提供する。ユーザは、例えば、複数の照明装置１１０の各々に向かって、又はこれらから離れて制御装置１０２を動かすことによって、複数の照明装置１１０（例えば、天井に取り付けられたＴＬＥＤ）の明るさを制御することができ、それによって、ユーザが直感的に照明装置１１０を制御することを可能にする。別の例は、制御可能なＬＥＤ壁（ＬＥＤマトリクス）を含む照明システム１００であり、このシステムでは、ユーザは制御装置１０２と各ＬＥＤとの間の距離２００に基づいて、各個々のＬＥＤの例えば色を制御することができ、ユーザがＬＥＤ壁に対して動的に光のシーンを生成することを可能にする。更なる実施形態では、プロセッサ１０８は、制御装置が照明装置の所定の近さ以内にある場合にのみ、照明装置１１０の制御パラメータを調節することができる。これは、照明装置１１０の制御パラメータが調節され得る領域を生成する。調節可能な近接検出範囲を備えた近接検出器１０６がシステムに含まれ得る。調節可能な近接検出範囲を備えた近接検出器１０６の利点は、そのような近接検出器が、ユーザ及び／又はシステムが範囲を調節することを可能にし、それによって、照明システム１００の異なる複数の構成に対して１つの近接検出器１０６の使用を可能にすることである。
【００２８】
図２に示す照明システム１００の追加の又は代替的な実施形態では、プロセッサ１０８は、決定された距離２００が所定の範囲内にある持続時間を決定するように更に構成され、決定された持続時間に基づいて照明装置１１０の制御パラメータが調節される。これは、ユーザが、例えば、制御装置１０２が照明装置１１０の近さ１１４以内にある持続時間を増加又は減少させることにより、照明装置１１０の明るさを調節することを可能にする。この実施形態は、複数の照明装置１１０（例えば、ＬＥＤマトリクス）を制御し、それによってユーザに光源を調節する簡単且つ直感的な態様を提供するために、有利であり得る。
【００２９】
図３は、制御装置１０２の動きを検出することによって照明装置１１０を制御するための、本発明に従った照明システム１００の実施形態を概略的に示す。この実施形態では、制御装置１０２は、制御装置１０２の動き３０２を検出するように構成された運動検出器３００を更に含む。運動検出器３００は、例えば、出力が制御装置１０２によって読み取られることができる加速度計、ジャイロスコープ、及び／又は磁気計を含むことができる。制御装置１０２は、検出された動き３０２をプロセッサ１０８へ伝達するように更に構成され得、このプロセッサ１０８は、制御装置１０２が照明装置１１０の近さ１１４以内にある場合に、検出された動き３０２に基づいて所定の期間内に照明装置１１０の制御パラメータを調節するように更に構成される。検出された動き３０２は、データベースに格納されたコマンドの集合のうちの１つのコマンドに関連付けられ得る。データベースは制御装置１０２、又はプロセッサ１０８内に含まれることができ、又はデータベースは例えばインターネットを介してアクセス可能な遠隔サーバ上に格納され得る。例示的な実施形態では、制御装置１０２は遠隔制御装置１０２（例えば、スマートワンド（smart wand））とすることができ、運動検出器３００は運動センサ（例えば、加速度計及び／又はジャイロスコープ）を含むことができ、検出された動き３０２は制御装置１０２の動き及びそれと共にユーザの動き（例えば、ジェスチャー）であり得る。プロセッサ１０８は、動きを識別するように、且つ、この動きに基づいて制御パラメータを調節するように更に構成され得る。この動きは、例えば、遠隔制御装置１０２を用いた円運動であることができ、それによって、例えば、照明装置１１０が、少なくとも１つの光源１１２の色をそのカラーライブラリを通じて循環させるべきであることを示す。別の例示的な実施形態では、制御装置１０２は、運動検出器３００を含む手首装着型装置（例えば、スマートウォッチ）とすることができる。これは、ユーザが、例えば単に手首を回転させることにより、照明装置１１０の明るさを制御することを可能にし得る。
【００３０】
一実施形態では、第１のユーザーインターフェース１０４は、所定の期間を調節するために更なるユーザ入力を受け取るように更に構成される。プロセッサ１０８は、更なるユーザ入力に基づいて所定の期間を設定するように更に構成される。これは、第１のユーザ入力が受け取られた後で照明装置１１０が制御可能になる期間をユーザが定義することを可能にする。これは、複数の照明装置１１０を有する照明システム１００において特に有利であり得、それによって、照明装置１１０が意図せずに制御される可能性を場合により低減させる。任意選択的に、第１のユーザーインターフェース１０４は、照明装置１１０を制御する一方で残りの期間を調節する（例えば、延長する又は短縮する）ためのユーザ入力を受け取るように更に構成され得る。これは、ユーザが照明装置１１０を調節するための十分な時間が無い場合に有利であり得る。代替実施形態では、所定の期間は、例えば照明インフラストラクチャーに基づいて（例えば、より多くの照明装置１１０が利用可能である場合により短くなど）、又は特定のユーザの履歴に基づいて（例えば、過去により多くの時間を必要としたユーザに対しては期間を増やすなど）、自動的に決定され得る。更なる実施形態では、第１のユーザーインターフェース１０４は、制御装置１０２が照明装置１１０を制御することができる近接範囲を調節するための別のユーザ入力を受け取るように更に構成され得る。これは、ユーザが近接検出器１０６の範囲を拡大する（例えば、部屋全体をカバーする）ことも、又は近接検出器１０６の範囲を縮小する（例えば、数インチに）ことも可能にする。追加的に又は代替的に、近接範囲は、例えば照明システム１００を使用しているユーザの数に基づいて（例えば、より多数のユーザがシステムを使用している場合にはより小さい領域に）、又は照明インフラストラクチャーに基づいて（例えば、より多くの照明装置１１０が利用可能である場合にはより小さい領域に）、自動的に決定され得る。
【００３１】
図４は、ユーザ入力を照明装置１１０において受け取ることによって照明装置１１０を制御するための、本発明に従った照明システム１００の実施形態を概略的に示す。この実施形態では、照明装置１１０は、第２のユーザ入力を受け取るように構成された第２のユーザーインターフェース４００を含む。照明装置１１０に含まれるプロセッサ１０８は、制御装置１０２が照明装置１１０の近さ１１４以内にある場合に、第２のユーザ入力に基づいて、所定の期間内に制御パラメータを調節するように更に構成される。第２のユーザーインターフェース４００は、例えば、タッチ感応性装置、オーディオセンサ、運動センサ、及び／又は第２のユーザ入力を受け取るための１つ又は複数のボタンを含むことができる。例示的な実施形態では、第２のユーザーインターフェース４００は、例えば色の調節に関連して制御装置１０２においてユーザが第１のユーザ入力を提供した後で、ユーザが、タッチ感応式光分配素子にタッチすることにより、照明装置１１０の少なくとも１つの光源１１２の色を制御することを可能にする、タッチ感応式光分配素子（例えば、タッチ感応式ランプ笠）を含むことができる。少なくとも１つの光源１１２の調節は、例えば、タッチの持続時間、タッチの強さ、マルチタッチ等の複数の要素に基づいて調節され得る。これは、例えば、ユーザがタッチ感応式光分配素子にタッチする持続時間に基づいて、ユーザが少なくとも１つの光源１１２の色に影響を与えること、及びユーザのタッチの強さ（例えば、ユーザのタッチの圧力の量）に基づいて、ユーザが少なくとも１つの光源１１２の明るさに影響を与えることを可能にし得る。第２のユーザ入力の更なるタイプは、照明装置１１０内に含まれるオーディオセンサによって受け取られる音声コマンド又は更なる音コマンド（例えば、照明装置の近くでの制御装置のタッピング）を含むことができる。
【００３２】
一実施形態では、照明システムは、中間通信装置を更に含む。この実施形態では、照明装置１１０は、中間通信装置を介して制御装置１０２によって制御され得る。中間通信装置（例えば、ブリッジ）は、制御装置１０２及び照明装置１１０と通信するように構成された送受信機を含むことができる。中間通信装置は更にプロセッサ１０８を含むことができ、このことは、近接検出器１０６を含む制御装置１０２（例えば、スマートフォン）を介して、既存の照明装置１１０（例えば、無線制御可能ランプ）が制御される照明システムにおいて有利であろう。なぜなら、これは、ユーザが、本開示において説明するような制御で既存のシステムの制御を拡張することを可能にするからである。中間通信装置は、ネットワークされたシステム（例えば、Philips Hue照明ネットワーク、ＤＡＬＩ照明ネットワーク、又はホームオートメーションネットワーク）の一部であり得る。中間通信装置は、近接検出器１０６（例えば、屋内測位システムを介した近接検出）を更に含むことができ、それによって、場合により既存のシステムの特徴を活用して照明システムの機能を確立する。
【００３３】
図５は、制御装置１０２によって照明装置１１０を制御する方法５００を概略的且つ例示的に示す。方法５００は、
−  第１のユーザ入力を受け取るステップ５０２と、
−  制御装置１０２と照明装置１１０との間の近さを検出するステップ５０４と、
−  第１のユーザ入力を受け取った後で所定の期間内に近さ１１４が検出される場合に、第１のユーザ入力に基づいて照明装置１１０の制御パラメータを調節するステップ５０６と
を含む。
【００３４】
更なる実施形態において、図５の方法は、制御装置１０２と照明装置１１０との間の距離２００を決定するステップと、決定された距離２００に基づいて照明装置１１０の制御パラメータを調節するステップとを更に含むことができる。結果として、制御装置１０２と照明装置１１０との間の距離２００は、制御パラメータの調節に影響を与える。更なる実施形態では、この方法は、決定された距離２００が所定の範囲内にある持続時間を決定するステップと、この持続時間に基づいて照明装置１１０の制御パラメータを調節するステップとを更に含むことができる。
【００３５】
上述した実施形態は本発明を限定するよりはむしろ例示するものであり、当業者であれば添付の特許請求の範囲から逸脱することなく多数の代替実施形態を設計することが可能であろうことが留意されるべきである。
【００３６】
特許請求の範囲において、括弧間に置かれた何れの参照符号も、特許請求の範囲を限定するものとして解釈されるべきではない。動詞「含む（ｃｏｍｐｒｉｓｅ）」及びその語形変化の使用は、特許請求の範囲において記載された以外の要素又はステップの存在を排除するものではない。要素に先立つ冠詞「１つの（a）」又は「１つの（an）」は、複数のそのような要素の存在を排除するものではない。本発明は、幾つかの別個の素子を含むハードウェアによって、及び適切にプログラムされたコンピュータ又は処理ユニットによって実装され得る。幾つかの手段を列挙する装置の請求項において、これらの手段のうちの幾つかは、全く同一のハードウェアアイテムによって具現化され得る。相互に異なる従属請求項において特定の手段が記載されているという単なる事実は、これらの手段の組み合わせが有利に使用され得ないことを示すものではない。
【図１】
2017509129.tif 000003
【図２】
2017509129.tif 000004
【図３】
2017509129.tif 000005
【図４】
2017509129.tif 000006
【図５】
2017509129.tif 000007
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
制御装置によって照明装置を制御するための照明システムであって、
−  前記照明装置の制御パラメータの調節と関係する第１のユーザ入力を受け取る第１のユーザーインターフェースを含む前記制御装置と、
−  前記制御装置と前記照明装置との間の近さを検出する近接検出器と、
−  少なくとも１つの光源を含む前記照明装置と、
−  前記第１のユーザ入力を受け取った後で所定の期間内に前記制御装置が前記照明装置の所定の近さ以内にある場合に、前記第１のユーザ入力に基づいて前記照明装置の前記制御パラメータを調節するプロセッサと
を含む、照明システム。
【請求項２】
前記近接検出器が前記制御装置と前記照明装置との間の距離を更に決定し、前記プロセッサが、決定された前記距離に基づいて、前記照明装置の前記制御パラメータを更に調節する、請求項１に記載の照明システム。
【請求項３】
前記プロセッサが、更に、前記決定された距離が所定の範囲内にある持続時間を決定し、且つ、前記持続時間に基づいて前記照明装置の前記制御パラメータを調節する、請求項２に記載の照明システム。
【請求項４】
前記照明装置が前記所定の期間内に第２のユーザ入力を受け取る第２のユーザーインターフェースを含み、前記プロセッサが前記第２のユーザ入力に基づいて前記照明装置の前記制御パラメータを更に調節する、請求項１に記載の照明システム。
【請求項５】
前記第２のユーザーインターフェースが、タッチ感応性装置、オーディオセンサ、運動センサ、及び前記第２のユーザ入力を受け取るための１つ又は複数のボタンを含む群のうちの少なくとも１つを含む、請求項４に記載の照明システム。
【請求項６】
前記制御装置が前記制御装置の動きを検出する運動検出器を更に含み、前記プロセッサが、検出された前記動きに基づいて、前記照明装置の前記パラメータを更に調節する、請求項１乃至５の何れか一項に記載の照明システム。
【請求項７】
前記第１のユーザーインターフェースが、前記所定の期間を調節するための更なるユーザ入力を更に受け取り、前記プロセッサが、前記更なるユーザ入力に基づいて前記所定の期間を更に設定する、請求項１乃至６の何れか一項に記載の照明システム。
【請求項８】
前記近接検出器が、前記制御装置及び前記照明装置の位置情報を検出する位置検出器を含み、それによって前記制御装置と前記照明装置との間の前記近さを決定する、請求項１乃至７の何れか一項に記載の照明システム。
【請求項９】
前記制御装置が前記近接検出器を更に含む、請求項１乃至８の何れか一項に記載の照明システム。
【請求項１０】
前記制御装置が前記プロセッサを更に含む、請求項１乃至９の何れか一項に記載の照明システム。
【請求項１１】
前記照明装置が前記プロセッサを更に含む、請求項１乃至９の何れか一項に記載の照明システム。
【請求項１２】
前記照明装置が前記近接検出器及び前記プロセッサを含む、請求項１乃至８の何れか一項に記載の照明システム。
【請求項１３】
請求項９又は１０に記載の照明システムにおいて使用するための、制御装置。
【請求項１４】
請求項１１又は１２に記載の照明システムにおいて使用するための、照明装置。
【請求項１５】
制御装置によって照明装置を制御する方法であって、
−  前記照明装置の制御パラメータの調節と関係する第１のユーザ入力を受け取るステップと、
−  前記制御装置と前記照明装置との間の近さを検出するステップと、
−  前記第１のユーザ入力を受け取った後で所定の期間内に前記制御装置が前記照明装置の所定の近さ以内にある場合に、前記第１のユーザ入力に基づいて前記照明装置の前記制御パラメータを調節するステップと
を含む、方法。
【国際調査報告】
2017509129.tif 000008
2017509129.tif 000009